(57)【要約】  通信トランシーバは受信電力制御コマンドに応答して電力制御された第１の信号を送信し、かつ付加信号に対して受信された受信品質帰還に基づいて第１の信号の送信電力に関して可変電力利得で１つ以上の付加信号を送信する。したがって、移動局はそのパイロット信号電力に関して可変電力利得でトラフィックチャネルを送信し、トラフィック信号に対してそれにより受信された受信品質帰還に応答してその利得を変えることができる。もちろん、移動局は可変利得を使用している２つ以上のトラフィックチャネルをフロートすることができ、各々に対して異なる可変利得を使用することができる。さらに、移動局は１つ以上の固定利得チャネルを送信しながら、パイロットに関してまたはもう１つのチャネルに関して１つ以上の非パイロットチャネルをフロートすることができる。同様な可変電力利得をネットワーク基地局において下り回線信号に対して利用することができる。
2007527649.tif 000002
【特許請求の範囲】
【請求項１】
移動局における上り回線電力制御方法であって、
制御された送信電力でパイロット信号を送信するステップと、
前記パイロット信号の前記送信電力に関して直接または間接的に１つ以上の電力利得で１つ以上のトラフィックチャネル信号を送信するステップと、
前記１つ以上のトラフィックチャネル信号に対する１つ以上の遠隔トランシーバからの受信品質帰還の受信に応答して前記１つ以上のトラフィックチャネル信号の前記電力利得を調節するステップと、
を含む方法。
【請求項２】
請求項１に記載の方法であって、パイロット信号の送信電力に関して１つ以上の電力利得で１つ以上のトラフィックチャネル信号を送信するステップは、パイロット信号に関して第１の電力利得で第１のトラフィックチャネル信号を送信するステップと、第１のトラフィックチャネル信号に関して第２の電力利得で第２のトラフィックチャネル信号を送信するステップと、を含む方法。
【請求項３】
請求項２に記載の方法であって、さらに、第１のトラフィックチャネル信号の送信電力に関する第２のトラフィックチャネル信号の送信電力が、第２のトラフィックチャネル信号に対して移動局により受信される受信品質帰還の関数として変動するように、第２のトラフィックチャネル信号に対する受信品質帰還の受信に応答して第２の電力利得を設定するステップを含む方法。
【請求項４】
請求項３に記載の方法であって、さらに、第１のトラフィックチャネルをパイロット信号に関して固定された電力利得に維持するステップを含む方法。
【請求項５】
請求項１に記載の方法であって、１つ以上のトラフィックチャネル信号に対する１つ以上の遠隔トランシーバからの受信品質帰還の受信に応答して１つ以上のトラフィックチャネル信号の電力利得を調節するステップは、少なくとも１つのトラフィックチャネル信号に対する受信品質帰還を受信してパイロット信号の送信電力に関して、またはパイロット信号の送信電力に関する電力利得で送信されるもう１つのトラフィックチャネル信号の送信電力に関して、そのトラフィックチャネル信号の電力利得を調節するステップを含む方法。
【請求項６】
請求項１に記載の方法であって、パイロット信号を制御された送信電力で送信するステップは、１つ以上のネットワーク基地局から移動局により受信された電力制御コマンドに応答してパイロット信号の送信電力を調節するステップを含む方法。
【請求項７】
請求項１に記載の方法であって、移動局は１つ以上のトラフィックチャネル信号の定められた１つに対する受信品質帰還を１つ以上のネットワーク基地局による良いまたは悪い受信を示す良否受信インジケータとして受信する方法。
【請求項８】
請求項７に記載の方法であって、移動局は１つ以上の良い受信インジケータの受信に応答して電力利得を減少し、１つ以上の悪い受信インジケータの受信に応答して電力利得を増加することにより定められたトラフィックチャネル信号の電力利得を調節する方法。
【請求項９】
請求項７に記載の方法であって、良否受信インジケータは、それぞれ、ＡＣＫおよびＮＡＫを含み、移動局は１つ以上のＡＣＫの受信に応答して電力利得を減少し、１つ以上のＮＡＫの受信に応答して電力利得を増加することにより定められたトラフィックチャネル信号の電力利得を調節する方法。
【請求項１０】
請求項９に記載の方法であって、移動局はＮＡＫの受信に応答して定められたトラフィックチャネル信号に対する電力利得を第１のステップサイズだけ増加する方法。
【請求項１１】
請求項１０に記載の方法であって、移動局はＡＣＫの受信に応答して定められたトラフィックチャネル信号に対する電力利得を第２のより小さいステップサイズだけ減少する方法。
【請求項１２】
請求項１１に記載の方法であって、さらに、第１のステップサイズおよびＡＣＫ／ＮＡＫ帰還から決定されたフレームエラーレート(ＦＥＲ)の関数として第２のステップサイズを計算するステップを含む方法。
【請求項１３】
請求項１に記載の方法であって、受信品質帰還はＡＣＫ／ＮＡＫ帰還、品質表示帰還、および消去表示帰還の１つ以上を含む方法。
【請求項１４】
移動局であって、
ワイヤレス通信網に対して信号を送受信するように構成されたトランシーバ回路であって、前記信号は制御された送信電力で前記移動局から送信されたパイロット信号と、該パイロット信号の送信電力に関して直接または間接的に１つ以上の電力利得で送信された１つ以上のトラフィックチャネル信号と、を含むトランシーバ回路と、
トランシーバ回路に有効に関連付けられた１つ以上の処理回路であって、前記移動局により送信された１つ以上のトラフィックチャネルの相対送信電力が受信品質帰還の受信の関数として変動するように、１つ以上の遠隔トランシーバからの前記受信品質帰還の受信に応答して１つ以上のトラフィックチャネル信号の電力利得を調節するように構成された電力制御回路を含む１つ以上の処理回路と、
を含む移動局。
【請求項１５】
請求項１４に記載の移動局であって、パイロット信号に関して第１の電力利得で第１のトラフィックチャネル信号を送信し、第１のトラフィックチャネル信号に関して第２の電力利得で第２のトラフィックチャネル信号を送信するように構成される移動局。
【請求項１６】
請求項１５に記載の移動局であって、第１のトラフィックチャネル信号の送信電力に関する第２のトラフィックチャネル信号の送信電力が、第２のトラフィックチャネル信号に対して移動局により受信された受信品質帰還の関数として変動するように、第２のトラフィックチャネル信号に対する受信エラー情報の受信に応答して第２のトラフィックチャネル信号の電力利得を設定するように構成される移動局。
【請求項１７】
請求項１６に記載の移動局であって、第１のトラフィックチャネルをパイロット信号に関して固定された電力利得に維持するように構成される移動局。
【請求項１８】
請求項１４に記載の移動局であって、少なくとも１つのトラフィックチャネル信号に対する受信品質帰還を受信してパイロット信号の送信電力に関して、またはパイロット信号の送信電力に関する電力利得で送信される他のトラフィックチャネル信号の送信電力に関して、そのトラフィックチャネル信号の電力利得を調節するように構成される移動局。
【請求項１９】
請求項１４に記載の移動局であって、１つ以上のネットワーク基地局から移動局により受信された電力制御コマンドに応答してパイロット信号の送信電力を調節するように構成される移動局。
【請求項２０】
請求項１４に記載の移動局であって、受信品質帰還は良否受信インジケータを含み、移動局は１つ以上の良い受信インジケータの受信に応答して電力利得を減少し、１つ以上の悪い受信インジケータの受信に応答して電力利得を増加することにより定められたトラフィックチャネル信号に対する電力利得を調節するように構成される移動局。
【請求項２１】
請求項２０に記載の移動局であって、悪い受信インジケータの受信に応答して定められたトラフィックチャネル信号に対する電力利得を第１のステップサイズだけ増加するするように構成される移動局。
【請求項２２】
請求項２１に記載の移動局であって、良い受信インジケータの受信に応答して定められたトラフィックチャネル信号に対する電力利得を第２のより小さいステップサイズだけ減少するように構成される移動局。
【請求項２３】
請求項２２に記載の移動局であって、さらに、第１のステップサイズおよび受信品質帰還から決定されたフレームエラーレート(ＦＥＲ)の関数として第２のステップサイズを計算するように構成される移動局。
【請求項２４】
請求項２２に記載の移動局であって、ＡＣＫ／ＮＡＫインジケータ、品質ビットインジケータ、および消去ビットインジケータの１つ以上を含む良否受信インジケータとして受信品質帰還を受信するように構成される移動局。
【請求項２５】
通信トランシーバにおけるデータリンク電力制御方法であって、
１つ以上の受信電力制御コマンドに応答して前記通信トランシーバにより送信された第１の信号の送信電力を制御するステップと、
前記第１の信号の前記送信電力に関して電力利得を有する可調節送信電力で第２の信号を送信するステップと、
前記第２の信号に関連する受信品質情報を受信するステップと、
前記受信品質帰還に応答して前記第２の信号の電力利得を調節するステップと、
を含む方法。
【請求項２６】
請求項２５に記載の方法であって、第１の信号の送信電力に関して電力利得を有する可調節送信電力で第２の信号を送信するステップは、第２の信号に対するその送信電力を第１の信号の送信電力および電力利得の関数として設定するステップを含み、トランシーバは第２の信号を受信する遠隔トランシーバからの第２の信号に対する受信品質帰還の受信に応答してその電力利得を必要に応じてアップダウン調節する方法。
【請求項２７】
請求項２５に記載の方法であって、さらに、第１の信号の送信電力に関して電力利得を有する第３の信号を送信し、第３の信号に関して第２の信号の電力利得を設定するステップを含む方法。
【請求項２８】
請求項２７に記載の方法であって、受信品質帰還に応答して第２の信号の電力利得を調節するステップは、第２の信号に対する第１および第３の信号の電力比が第２の信号に対して受信された受信品質帰還の関数として変化するように、第１および第３の信号に関して第２の信号の電力利得を調節するステップを含む方法。
【請求項２９】
請求項２８に記載の方法であって、さらに、第３の信号の受信信号品質に基づいて第１の信号の内部ループ電力制御目標を調節するステップを含む方法。
【請求項３０】
請求項２８に記載の方法であって、第１の信号はパイロット信号を含み、第２および第３の信号は、それぞれ、第１および第２のトラフィックチャネルを含む方法。
【請求項３１】
請求項２５に記載の方法であって、受信電力制御コマンドに応答して通信トランシーバにより送信された第１の信号の送信電力を制御するステップは、パイロット信号を送信し受信電力制御コマンドに応答してパイロット信号の送信電力を調節するステップを含み、第１の信号の送信電力に関して電力利得を有する可調節送信電力で第２の信号を送信するステップはパイロット信号の送信電力および電力利得により決定される送信電力でデータ信号を送信するステップを含む方法。
【請求項３２】
請求項３１に記載の方法であって、第２の信号に関連する受信品質帰還を受信するステップは遠隔トランシーバがデータ信号により運ばれたデータを正しく受信したかを示す良否受信インジケータを受信するステップを含む方法。
【請求項３３】
請求項３２に記載の方法であって、遠隔トランシーバがデータ信号により運ばれたデータを正しく受信したかを示す良否受信インジケータを受信するステップは、データ信号の各フレームに対して遠隔トランシーバからＡＣＫ／ＮＡＫインジケータを受信するステップを含み、受信品質帰還に応答して第２の信号の電力利得を第１の信号に関して調節するステップは、ＮＡＫの受信に応答して電力利得を第１の量だけ増加しＡＣＫの受信に応答して電力利得を第２の量だけ減少するステップを含む方法。
【請求項３４】
請求項２５に記載の方法であって、通信トランシーバは移動局を含み、第１の信号はパイロット信号を含み、第２の信号はトラフィックチャネル信号を含み、受信電力制御コマンドに応答して通信受信機により送信された第１の信号の送信電力を制御するステップは１つ以上のネットワーク基地局により移動局へ送信された電力制御コマンドに応答してパイロット信号の送信電力を制御するステップを含む方法。
【請求項３５】
請求項３４に記載の方法であって、第１の信号に関して制御された電力利得で第２の信号を送信するステップはトラフィックチャネル信号でデータフレームを送信するステップを含み、第２の信号に関連する受信品質帰還を受信するステップはパーフレームベースで１つ以上のネットワーク基地局から受信品質帰還を受信するステップを含む方法。
【請求項３６】
請求項３５に記載の方法であって、受信品質帰還はＡＣＫ／ＮＡＫインジケータ帰還を含み、受信品質帰還に応答して第２の信号の電力利得を第１の信号に関して調節するステップは受信ＮＡＫインジケータの関数として電力利得を増加し受信ＡＣＫインジケータの関数として電力利得を減少するステップを含む方法。
【請求項３７】
請求項２５に記載の方法であって、通信トランシーバはワイヤレス通信網内のネットワーク基地局を含む方法。
【請求項３８】
請求項２５に記載の方法であって、第２の信号に関連する受信品質帰還を受信するステップはＡＣＫ／ＮＡＫ帰還、品質インジケータ帰還、および消去帰還の１つ以上を受信するステップを含む方法。
【請求項３９】
通信トランシーバであって、
１つ以上の遠隔トランシーバに対して信号を送受信する１つ以上のトランシーバ回路と、
トランシーバ回路に有効に関連付けられる１つ以上の処理回路であって、
前記通信トランシーバにより受信された電力制御コマンドに応答して通信トランシー
バにより送信された第１の信号の送信電力を制御し、
前記通信トランシーバにより送信された第２の信号の電力利得を前記第１の信号の送
信電力に関して直接または間接的に制御し、かつ、
前記第２の信号に対して前記通信トランシーバにより受信された受信品質帰還に応答    して前記第２の信号の電力利得を調節する、ように構成された電力制御回路を含む前
記１つ以上の処理回路と、
を含む通信トランシーバ。
【請求項４０】
請求項３９に記載の通信トランシーバであって、第１の信号の送信電力に関して電力利得を有する第３の信号を送信し、第３の信号に関して第２の信号の電力利得を設定するように構成される通信トランシーバ。
【請求項４１】
請求項４０に記載の通信トランシーバであって、第２の信号に対する第１および第３の信号の電力比が第２の信号に対して受信された受信品質帰還の関数として変化するように、第１および第３の信号に関して第２の信号の電力利得を調節することにより受信品質帰還に応答して第２の信号の電力利得を調節するように構成される通信トランシーバ。
【請求項４２】
請求項４１に記載の通信トランシーバであって、第３の信号の受信信号品質に基づいて第１の信号の内部ループ電力制御目標を調節するように構成される通信トランシーバ。
【請求項４３】
請求項４１に記載の通信トランシーバであって、第１の信号はパイロット信号を含み、第２および第３の信号は、それぞれ、第１および第２のトラフィックチャネルを含む通信トランシーバ。
【請求項４４】
請求項３９に記載の通信トランシーバであって、第１の信号はパイロット信号を含み、電力制御回路は電力制御コマンドに応答してパイロット信号の送信電力を調節するように構成される通信トランシーバ。
【請求項４５】
請求項４４に記載の通信トランシーバであって、第２の信号はデータ信号を含み、電力制御回路は、データ信号の送信がパイロット信号の送信電力および電力利得によって決まるように、パイロットに関してデータ信号の電力利得を制御するように構成される通信トランシーバ。
【請求項４６】
請求項４５に記載の通信トランシーバであって、電力制御回路は、遠隔トランシーバがデータ信号により運ばれたデータを正しく受信したかを示す良否受信インジケータを受信することにより、第２の信号に対して通信トランシーバにより受信された受信品質帰還に応答して第２の信号の電力利得を第１の信号に関して調節するように構成される通信トランシーバ。
【請求項４７】
請求項４６に記載の通信トランシーバであって、電力制御回路は悪い受信インジケータの受信に応答して電力利得を第１の量だけ増加し、良い受信インジケータの受信に応答して電力利得を第２の量だけ減少するように構成される通信トランシーバ。
【請求項４８】
請求項４６に記載の通信トランシーバであって、ＡＣＫ／ＮＡＫ帰還、品質表示帰還、および消去インジケータ帰還の１つ以上として良否受信インジケータを受信するように構成される通信トランシーバ。
【請求項４９】
請求項３９に記載の通信トランシーバであって、通信トランシーバは移動局を含み、第１の信号はパイロット信号を含み第２の信号はトラフィックチャネル信号を含む通信トランシーバ。
【請求項５０】
請求項４９に記載の通信トランシーバであって、移動局はトラフィックチャネル信号でデータフレームを送信するように構成され、かつ移動局をサポートしているワイヤレス通信網の１つ以上の基地局から電力制御コマンドおよび受信品質帰還を受信するように構成される通信トランシーバ。
【請求項５１】
請求項５０に記載の通信トランシーバであって、受信品質帰還はＡＣＫ／ＮＡＫ帰還を含み、電力制御回路は、所望の再試行プロトコルに従って移動局によりＮＡＫが受信されたデータフレームを再送信し、再送信が不成功であれば電力利得を増加することによりトラフィックチャネル信号の電力利得をパイロット信号に関して増加するように構成される通信トランシーバ。
【請求項５２】
請求項３９に記載の通信トランシーバであって、受信品質帰還はＡＣＫ／ＮＡＫ帰還を含み、電力制御回路は受信ＮＡＫ表示の関数として電力利得を増加し、受信ＡＣＫ表示の関数として電力利得を減少するように構成される通信トランシーバ。
【発明の詳細な説明】
【技術分野】
【０００１】
（関連出願）
本出願は３５Ｕ．Ｓ．Ｃ．§１１９（ｅ）の下で２００３年７月１０日に出願された仮特許出願第６０／４８６，１５７号の優先権を主張する。この出願はその全体が本開示の一部としてここに組み入れられている。
【０００２】
（発明の背景）
本発明は一般的にワイヤレス通信網に関し、特に、このようなネットワークにおける電力制御に関する。
【背景技術】
【０００３】
ワイヤレス通信網は典型的に基地局およびこれらの基地局によりサポートされる移動局間で行き来する通信信号に対するある形の閉ループ電力制御を利用する。特に、典型的な符号分割多元接続（ＣＤＭＡ）網は下り回線および上り回線電力制御を使用して、下り回線の基地局による送信電力および上り回線の移動局による送信電力を制御する。たとえば、ネットワーク基地局は許容エラーレートでデータ受信を許すのに十分な信号強度で移動局からの上り回線の信号を受信しなければならない。しかしながら、全体上り回線干渉への各移動局の寄与を低減するために、ネットワークは１つ以上のネットワーク基地局において目標受信信号強度を達成するのに必要な電力よりも高くない電力で平均的に送信を行うように各移動局を制御する。
【０００４】
典型的な方法では、ネットワークは「内部」および「外部」ループ上り回線電力制御の両方を利用する。内部ループ電力制御はネットワークによる移動局の上り回線送信電力の比較的高速の、継続的電力制御調節を含んでいる。たとえば、ＩＳ−２０００標準に従って構成されたＣＤＭＡ網では、内部ループ制御は８００Ｈｚまでの移動局へのネットワークストリーミング電力制御コマンド、すなわち、１．２５ｍｓ毎に１つの電力制御コマンドに基づいている。
【０００５】
各受信コマンドに応答して、移動局は受信コマンドがアップコマンドであるかダウンコマンドであるかに応じて、そのパイロット信号電力を規定された増分ステップにより上向きまたは下向きに調節する。移動局をサポートする定められた移動局が受信した移動局の信号の信号強度に基づいてアップコマンドを送るべきかダウンコマンドを送るべきかを決定する。特に、典型的な基地局は移動局のパイロット信号の受信信号強度を目標値に関してモニタして、受信信号強度が目標よりも下であればアップコマンドを送り、受信信号強度が目標よりも上であればダウンコマンドを送る。典型的な移動局はその全ての上り回線信号、たとえば、トラフィックチャネルおよび／または制御チャネル信号、をパイロット信号電力の定められた比率で送信するように構成されるため、ネットワークからのアップおよびダウンコマンドにより移動局はその全ての上り回線信号送信の電力を、それぞれ、増加および減少させる。
【０００６】
外部ループ上り回線電力制御はより遅いレートで行われ、基地局における内部ループ信号強度目標をある他の受信パラメータに基づいて調節することを含んでいる。一般的に、移動局のトラフィックチャネル信号のフレームエラーレート（ＦＥＲ）は内部ループ目標を調節するためのメトリックを与える。たとえば、ＦＥＲが１％（または他の）目標エラーレートに較べて低ければ、基地局は内部ループ目標を下向きに調節することができる。逆に、ＦＥＲが目標エラーレートを超えると、基地局は内部ループ目標を上向きに調節することができる。このようにして、基地局の内部ループは移動局の送信電力の迅速な閉ループ制御を行って移動局のパイロット信号の受信したままの信号強度を目標値またはその近くに維持し、外部ループ制御はより遅い調節機構を提供して目標値が許容データエラーレートを生じるのを保証する。
【発明の開示】
【発明が解決しようとする課題】
【０００７】
ある種の下り回線チャネル、たとえば、専用トラフィックチャネルに対して同様な内部および外部ループ制御機構が移動局において実施される。したがって、ある定められた移動局は目標値よりも上または下の信号強度でネットワークから特定の信号、たとえば、トラフィックチャネル信号を受信するかどうかに基づいてネットワークにアップ／ダウン電力制御コマンドを流す。さらに、移動局は、たとえばトラフィックチャネル信号で受信したデータのＦＥＲに基づいて目標値をアップダウン調節する。
【課題を解決するための手段】
【０００８】
（発明の概要）
本発明は受信品質帰還に基づいてデータリンク電力制御を行う方法および装置を含み、それはある形の良否受信インジケータを含むことができる。非制約的例として、本発明はワイヤレス通信網における下りおよび上り回線の一方または両方の補足電力制御を行うのに使用することができる。しかしながら、一般的に、本発明により第１の通信トランシーバはデータ信号の電力利得を、データ信号の受信に関する１つ以上の遠隔トランシーバからの帰還に基づいて、それにより送信される、パイロットまたは他の基準信号に関して直接または間接的に調節することができる。
【０００９】
したがって、本発明に従って、通信トランシーバにおける典型的なデータリンク電力制御方法は受信電力制御コマンドに応答して通信トランシーバにより送信される第１の信号の送信電力を制御するステップと、第１の信号に関して制御された電力利得で第２の信号を送信するステップと、第２の信号に関連する受信品質帰還を受信するステップと、受信品質帰還（ｒｅｃｅｐｔｉｏｎ  ｑｕａｌｉｔｙ  ｆｅｅｄｂａｃｋ）に応答して第２の信号の電力利得を第１の信号に関して調節するステップと、を含んでいる。第１の信号はパイロット信号を含むことができ第２の信号はデータ信号、たとえば、ワイヤレス通信網内の移動局または基地局により送信されたトラフィックチャネル信号を含むことができる。したがって、受信品質帰還はトラフィックチャネル信号で送信されたデータに対するある形の良否受信インジケータを一般的に含み、たとえば、ＡＣＫ／ＮＡＫ帰還、品質インジケータ（ビット）帰還、および消去（ビット）帰還の形とすることができる。
【００１０】
前記した典型的な方法を補足するために、典型的な通信トランシーバは１つ以上の遠隔トランシーバに対して信号を送受信するトランシーバ回路と、トランシーバ回路に有効に関連付けられる１つ以上の処理回路を含んでいる。典型的な処理回路は通信トランシーバにより受信された電力制御コマンドに応答して通信トランシーバにより送信される第１の信号の送信電力を制御し、通信トランシーバにより送信される第２の信号の電力利得を第１の信号に関して制御し、第２の信号に対して通信トランシーバにより受信された受信品質帰還に応答して第２の信号の電力利得を第１の信号に関して調節するように構成された電力制御回路を含んでいる。
【００１１】
本発明の典型的な移動局の実施例では、移動局における上り回線電力制御方法は、ある定められたトラフィック対パイロット電力比でトラフィックチャネル信号を送信するステップと、１つ以上のネットワーク基地局からトラフィックチャネル信号に対する受信品質帰還を受信するステップと、トラフィック対パイロット電力比をＡＣＫ／ＮＡＫ帰還の関数として調節するステップと、を含んでいる。したがって、本発明はこの実施例において移動局のネットワークの進行中の下り回線電力制御と協力して補足するように働く。典型的な実施例では、１つ以上のネットワーク基地局からのトラフィックチャネル信号に対する受信品質帰還の受信はトラフィックチャネル信号に対する送信フレーム当りのＡＣＫ／ＮＡＫまたは他の良否インジケータ帰還の受信を含んでいる（ある形の帰還では、悪い受信インジケータの不在は良い受信の間接的表示としてとられる）。さらに、典型的な調節方法は不良受信帰還の関数としてトラフィック対パイロット電力比を増加し、かつ良い受信帰還の関数としてトラフィック対パイロット電力比を減少することにより帰還の関数としてトラフィック対パイロット電力比を調節するステップを含んでいる。
【００１２】
典型的な移動局はワイヤレス通信網に信号を送信し、ワイヤレス通信網から信号を受信するトランシーバ回路と、トランシーバ回路に有効に関連付けられる１つ以上の処理回路を含んでいる。典型的な処理回路は移動局により送信されたトラフィックチャネル信号に対するトラフィック対パイロット電力比を移動局により送信されたパイロット信号に関して制御し、かつトラフィックチャネル信号に対して移動局により受信された帰還に応答してトラフィック対パイロット電力比を調節するように構成された電力制御回路を含んでいる。典型的な電力制御回路は、移動局が受信電力制御コマンドおよび受信品質帰還の関数としてトラフィックチャネル信号の送信電力を変えるように、移動局により受信された電力制御コマンドに応答してパイロット信号の送信電力を制御するように構成されている。
【００１３】
典型的な一実施例において、本発明は、移動局が送信する各データフレームに対する直接または間接的ＡＣＫ／ＮＡＫ帰還を移動局が受信するように、移動局により送信されたデータフレームに対する自動反復要求（ＡＲＱ）、たとえば、ハイブリッドＡＲＱを提供するワイヤレス通信網内で使用するように構成された移動局内で実施される。非制約的例として、ネットワークはＩＳ−２０００標準に従って構成することができ、移動局は上り回線パケットデータチャネル信号の電力利得をその上り回線パイロット信号に関して調節することができる。もちろん、本発明はこのような実施例に限定はされず、当業者ならば下記の検討を読み添付図を見れば他の応用、特徴、および利点を認識できる。
【実施例】
【００１４】
（発明の詳細な説明）
図１は、それぞれ、第１および第２の通信トランシーバ１０および１２の線図であり、一方または両方のトランシーバが本発明に従った典型的なデータリンク電力制御を実現する。トランシーバ１０は電力制御コマンドをトランシーバ１０に送るトランシーバ１２に基づいてトランシーバ１２により制御される送信電力で第１の信号を送信する。トランシーバ１０は、さらに、第１の信号に関して１つ以上の付加信号、たとえば、第２および第３の信号を１つ以上の制御された電力利得で送信する。したがって、トランシーバ１０が第１の信号に関して制御された電力利得で第２の信号を送信する場合には、第１の信号の送信電力の指令された増加により第２の信号の送信電力の対応する増加を生じ、同様に、第１の信号の送信電力の指令された減少により第２の信号の送信電力の対応する減少を生じる。
【００１５】
本発明の１つ以上の実施例に従って、トランシーバ１０は遠隔トランシーバ１２からの受信信号品質情報帰還の受信に応答して１つ以上の付加信号、たとえば、第２および／または第３の信号、の電力利得を調節する。非制約的例として、トランシーバ１０は第１の信号の送信電力に関して第２の信号の送信電力を確立するのに使用する初期すなわちデフォルト電力利得を有することができる。
【００１６】
トランシーバ１２が第１の信号の送信電力をダイナミックに調節してトランシーバ１２で目標信号強度を維持するようにトランシーバ１０へ電力制御コマンドを流すものと仮定すると、第２の信号の送信電力は規定された電力利得に従って第１の信号のそれと共にダイナミックに変動することが判る。しかしながら、本発明の一実施例では、トランシーバ１０は第２の信号に対してトランシーバ１２から信号品質帰還、たとえば、ＡＣＫ／ＮＡＫを受信し、その帰還を使用して第１の信号に関して第２の信号の電力利得を調節する。もちろん、本発明はこのアイデアをトランシーバ１０により送信される１つ以上の付加信号に対して一緒にまたは別々に拡張して、これらのチャネルの電力利得がトランシーバ１２により返された受信信号品質の１つ以上の表示に基づいてトランシーバ１０により一緒にまたは別々に調節されるようにする。これらの例および他の典型的な詳細については後述する。
【００１７】
図２および３は本発明の１つ以上の典型的な実施例に従ったトランシーバ１０および１２における典型的な処理論理を示す。図２に示すように、トランシーバ１０はパイロット信号または他の基準信号とすることができる第１の信号を送信電力Ｐ１で送信し、トラフィックチャネル信号、制御チャネル信号、または他のデータ信号とすることができる第２の信号を送信電力Ｐ２＝αＰ１で送信し、αは制御された電力利得係数を表す（ステップ１００）。
【００１８】
トランシーバ１０は第１の信号の送信電力を増加または減少するようトランシーバ１０に命令するトランシーバ１２から電力制御コマンドを受信し、これらのコマンドに応答してＰ１への継続的調節を行う（ステップ１０２）。トランシーバ１０は、さらに、第２の信号に対する受信品質帰還を受信し、それは第２の信号により運ばれたデータをうまく受信したか否かに基づいてトランシーバ１２により送信される肯定応答／否定応答（ＡＣＫ／ＮＡＫ）の形とすることができる。典型的な実施例では、次に、トランシーバ１０は電力利得係数αを受信ＮＡＫの関数として上向きに調節し、かつ受信ＡＣＫの関数として下向きに調節する。
【００１９】
このような処理を補足するために、図３はトランシーバ１２における典型的な関連する処理を示す。トランシーバ１２はトランシーバ１０から第１の信号を受信して目標信号強度と比較するか、あるいはある他のメトリックに従って信号を評価する（ステップ１１０）。目標値は第２の信号の現在のデータレートに基づくことができる、たとえば、より高いレートはより高い目標に対応する。いずれの場合も、受信信号強度が目標よりも上であれば、第１の信号の送信電力は必要以上に高くトランシーバ１２はトランシーバ１０に「ダウン」コマンドを送る（ステップ１１２）。逆に、受信信号強度が目標よりも下であれば、トランシーバ１２はトランシーバ１０に「アップ」コマンドを送る（ステップ１１２）。
【００２０】
このような処理の後またはこのような処理と同時に、トランシーバ１２は自身で受信した第２の信号に対する受信エラーを評価し（ステップ１１４）、第２の信号に対して、対応する受信品質帰還をトランシーバ１０に送信する（ステップ１１６）。たとえば、第２の信号は一連のデータフレームを有するデータ信号を含むことができ、トランシーバ１２は定められたフレームがトランシーバ１２において正しく復号されるかどうかに応じてフレーム毎でＡＣＫまたはＮＡＫ表示を送るように構成することができる。
【００２１】
図４は現在または審議中のＩＳ−２０００標準、広帯域ＣＤＭＡ（ＷＣＤＭＡ）標準、等のいくつかのワイヤレス通信標準のいずれかに従って構成することができるワイヤレス通信網１４と関連する本発明の典型的な応用を示す。ネットワーク１４は複数の移動局１６を、インターネット等の、１つ以上の公衆データ網（ＰＤＮ）１８と通信で連結する。
【００２２】
典型的な実施例では、ネットワーク１４はパケット交換コアネットワーク（ＰＳＣＮ）２２を介してＰＤＮ１８に連結される無線アクセス網（ＲＡＮ）２０を含んでいる。ＲＡＮ２０は基地局コントローラ２４と１つ以上の関連付けられた無線基地局（ＲＢＳ）２６とを含む少なくとも１つの基地局（ＢＳ）を含んでいる。ＢＳＣ２４はＰＳＣＮ２２と通信するパケット制御インターフェイス回路を含むことができ、あるいはパケット制御機能２８を介してＰＳＣＮ２２に連結することができる。明確にするために１つのＢＳＣ２４および１つのＲＢＳ２６しか例示されていないが、ＲＡＮ２０は各々が１つ以上のＲＢＳ２６を制御する複数のＢＳＣ２４を含むことができることを理解しなければならない。さらに、ネットワーク１４はＲＡＮ２０を公衆電話交換網（ＰＳＴＮ）、インターネット、等に通信で連結する回線交換コアネットワーク（ＣＳＣＮ）等の図示せぬ付加エンティティを含むことができる。
【００２３】
本発明は上り回線電力制御および下り回線電力制御のいずれかまたは両方に関連して使用することができる。たとえば、上り回線電力制御に応用されると、移動局１６はトランシーバ１０の役割で動作することができ、ＲＢＳ２６はトランシーバ１２の役割で動作することができる。したがって、移動局１６はＲＢＳ２６により電力制御される上り回線パイロット信号を送信することができ、制御されたトラフィック対パイロット電力比で上り回線トラフィックチャネル信号を送信することができる。したがって、移動局１６は移動局のトラフィックチャネル信号の受信に関する１つ以上のＲＢＳ２６からの受信エラー帰還の関数としてトラフィック対パイロット電力比を調節する。
【００２４】
図５の典型的な処理は受信した各電力制御コマンドに応答して移動局１６により実行することができる典型的な送信電力調節を例示している。ＩＳ−２０００ベースの実施例では、ＲＢＳ２６が送信電力コマンド、たとえば、電力制御ビット（ＰＣＢ）を８００Ｈｚまで移動局１６に送る。したがって、移動局１６は着信する電力制御コマンドに応答して１．２５ｍｓ毎までの頻度でその送信電力を調節することができる。コマンドは単なるアップ／ダウンインジケータ以上のものとすることができ、たとえば、コマンドはアップ／ダウン／ホールド制御を行う多状態インジケータ等とすることができる。
【００２５】
典型的な処理論理に従って、移動局１６は電力制御コマンドを受信し（ステップ１２０）、コマンドがアップコマンドであるかどうかを確認する（ステップ１２２）。そうであれば、移動局１６はｄＢの次式に従ってそのパイロット信号送信電力ＰＰを設定し、
（数１）
ＰＰ＝ＰＰ＋ΔＵＰ                                                （１）
ここに、ΔＵＰは電力の規定された増分ステップ変化であり、そのトラフィックチャネル電力ＰＴを次式に従って設定し、
（数２）
ＰＴ＝α＋ＰＰ                                                  （２）
ここに、αはトラフィック対パイロット電力比を設定する電力利得係数ｄＢである（ステップ１２４）。（電力関係はＰＴ＝αＰＰとして表現することもでき、その場合電力利得係数αは可変電力スケーリングを与える）。
【００２６】
逆に、コマンドがアップコマンドでない、すなわち、ダウンコマンドであれば、移動局１６はｄＢの次式に従ってそのパイロット信号送信電力を減少し、
（数３）
ＰＴ＝ＰＰ−Δｄｏｗｎ                                              （３）
ここに、Δｄｏｗｎは電力の規定された増分ステップ変化であり、前記した方程式（２）に従ってそのトラフィックチャネル電力を設定する（ステップ１２６）。
【００２７】
典型的な移動局１６は、さらに、ネットワーク１４からの、たとえば、１つ以上のＲＢＳ２６からの受信エラー帰還に応答してそのトラフィック対パイロット電力比を調節する。たとえば、前述したように、移動局１６はその上り回線トラフィックチャネル信号でデータフレームを送信することができ、ＲＢＳ２６は移動局１６から良いデータフレームを受信したか悪いデータフレームを受信したかに基づいてＡＲＱまたは他の形のＡＣＫ／ＮＡＫ帰還を移動局１６に送ることができる。このようなＡＣＫ／ＮＡＫ帰還は明示的でもよく暗示的でもよい。一形式の暗示的なシグナリングでは、ＲＢＳ２６は明示的なＡＣＫまたはＮＡＫ表示を与え、このような明示的な表示がなければ反対インジケータとして推論される。たとえば、ＮＡＫがなければＡＣＫと推論することができ、逆も同じである。
【００２８】
いずれにせよ、移動局１６における典型的な電力利得調節処理はネットワーク１４からのＡＣＫ／ＮＡＫ帰還の受信に応答して開始される。例示された論理はＡＣＫ／ＮＡＫイベント毎で移動局１６により実行することができる。このようにして、移動局１６はネットワーク１４からＡＣＫ／ＮＡＫ帰還を受信し（ステップ１３０）、帰還がＡＣＫを含むかどうかを確認する（ステップ１３２）。ＡＣＫが受信されれば、移動局１６はトラフィック対パイロット電力利得係数αを規定された量のｄＢだけ減少することができる（ステップ１３４）。典型的な実施例では、移動局１６は減少を次のように計算し、
（数４）
減少＝ｘ／［（ＦＥＲ）−１−１］  ｄＢ                          （４）
ここに、ｘはｄＢ値である。このような変化は電力利得係数αをそれに応じて設定して達成するか、所要もしくは所望する他の方法で達成することができる。
【００２９】
ＡＣＫではなくＮＡＫが受信されれば（ステップ１３６）、移動局１６はトラフィック対パイロット電力利得係数αを規定された量のｄＢだけ増加することができる。典型的な実施例では、移動局１６は増加を次のように計算し、
（数５）
増加＝ｘ  ｄＢ                                                （５）
ここに、ｘは前記方程式（４）で使用したのと同じ値とすることができる。（ステップ１３８）。
【００３０】
このようにして、本発明の実施例では、移動局１６はそのトラフィックチャネル信号を移動局のパイロットチャネル信号の送信電力レベルよりも上の可調節電力レベルに「フロート」させることができる。実際上、移動局１６はトラフィックチャネル信号の上り回線送信電力に対して２次形式の外部ループ制御を実施して、そのデータ信号の送信電力をそのパイロット信号に関して調節し、ＲＢＳ２６はそれ自体の上り回線電力制御を移動局のパイロットおよび／またはデータ信号に負わせることができる。もちろん、このような電力制御はパイロット信号に関してある電力比またはオフセットで送信される任意他のチャネルに応用することができる。
【００３１】
ＲＢＳ２６から１つ以上の移動局１６に送信される下り回線信号に関して、ＲＢＳ２６において逆動作を実施できることを理解しなければならない。すなわち、ＲＢＳ２６はそれにより送信された関心のあるデータ信号の一つの送信電力を１つ以上の移動局１６により電力制御されるもう１つの信号よりも上の可調節レベルにフロートさせることができる。このようにして、移動局、基地局、その他のタイプの通信トランシーバであれ、送信エンティティは１つ以上の遠隔トランシーバからの受信品質帰還に基づいてデータリンク電力制御を適用する。このような制御は遠隔トランシーバにより課される任意の閉ループ電力制御に対して２次的となることがあり、２次的すなわち補足的データリンク電力制御として機能することができる。
【００３２】
制約しない例として、図７は典型的な移動局１６および典型的なＲＢＳ２６に対する実施例を例示している。移動局１６はアンテナアセンブリ３０、受信機回路３２、送信機回路３４、電力制御回路３８を含むベースバンドプロセッサ回路３６、およびシステムコントローラ４０（たとえば、マイクロコントローラ）および関連するユーザインターフェイス４２（たとえば、キーパッド、ディスプレイ、スピーカ、等）を含んでいる。ＲＢＳ２６は送受信アンテナエレメント５０、プールされた受信機回路５２、プールされた送信機回路５４、１つ以上の電力制御回路５８を含む上り／下り回線信号処理回路５６、およびインターフェイス／制御回路６０を含んでいる。
【００３３】
移動局１６において、電力制御回路３８はベースバンド信号プロセッサの一部、またはもう１つのマイクロプロセッサの一部または移動局１６内の他の論理ベース回路として構成することができる。典型的な実施例では、電力制御回路３８はデータ信号に対するサポーティングワイヤレス通信網から受信したＡＣＫ／ＮＡＫ帰還に応答して、移動局のパイロットまたは他の基準信号に関して移動局１６から送信されたデータ信号の電力利得を調節する。さらに、電力制御回路３８はネットワークから受信した着信電力制御コマンドに応答してパイロットおよびデータ信号送信電力を制御するように構成することができる。電力制御回路３８はハードウェア、ソフトウェア、たとえば、移動局１６内のメモリに保存されたコンピュータプログラム、または両方のある組合せとして実現することができる。それにもかかわらず、電力制御回路３８は送信機／受信機回路と有効に関連付けてそのいずれの実施例でも本発明を実施するように構成することができる。
【００３４】
同様に、（ひとつ又は複数の）電力制御回路５８は複数の移動局に対する内部および外部上り回線電力制御を行うように構成することができ、かつＲＢＳ２６により送信された関心のある１つ以上の下り回線チャネルに対する補足電力制御を行うように全体的または個別的に構成することができる。すなわち、電力制御回路５８はこれらのデータ信号が向けられる１つ以上の移動局１６からの関連する受信品質帰還に応答して、１つ以上の下り回線データ信号のフローティング電力利得を調節するように構成することができる。このような受信品質帰還は、もちろん、ＡＣＫ／ＮＡＫリターン表示を含むことができるが、本発明は他の形の受信信号品質帰還を使用できることを理解しなければならない。
【００３５】
さらに、本発明は多数のトラフィックチャネルが共存するような多数のチャネルを含む状況に応用することができる。たとえば、移動局１６が同時音声およびパケットデータ呼で構成される場合、基本チャネルおよびパケットデータチャネルの両方を上り回線で設定することができる。このような状況では、受信基地局はパケットデータチャネルに対して受信信号品質帰還、たとえば、ＡＣＫ／ＮＡＫ帰還を与えることができるが、基本（音声）チャネルに対しては与えることができない。このような状況では、移動局１６はそのパイロットチャネル送信電力に関して第１の電力利得で基本チャネルを送信することができ、パイロットチャネル送信電力に関して第２の電力利得でパケットデータチャネルを送信することができる。
【００３６】
したがって、基本チャネルに対して特定的な受信信号品質帰還がなければ、移動局１６は従来の外部ループ電力制御に従ってそのチャネルの電力利得をパイロットチャネル送信電力に関して固定比に保持することができる。しかしながら、移動局は基地局により返された受信信号品質情報に基づいてそのチャネルの電力利得をパイロットチャネルに関して調節することにより、パイロットデータチャネルの送信電力を可変比にフロートさせることができ、たとえば、フローティング電力利得を、ＡＣＫ／ＮＡＫ帰還または遠隔受信機における受信信号品質を示すある他の帰還に基づいて制御することができる。したがって、前述した例は移動局１６がそのパイロット信号電力に関して制御された電力利得で２つのチャネルを送信するが、それが受信信号品質帰還を受信するまさにそのチャネルに対する電力利得を調節するシナリオを例示している。
【００３７】
さらに、本発明は他のタイプのチャネルの電力利得を互いに調節するのに使用することができる。例として、移動局１６はある定められた電力でパイロット信号を送信し、パイロットに関してある電力利得で第２の信号を送信し、第２の信号の電力が第３の信号の電力を固定するように第２の信号に関してある電力利得で第３の信号を送信するものとする。もちろん、「第２」および「第３」レベルは説明を判り易くするためであり、第３の信号は第２の信号に対するアンカーとして働くことができ、パイロットに加えて送信される任意数の信号の他の組合せに対しても同様であることに注目しなければならない。いずれの場合も、このような構成により、移動局１６は着信電力制御コマンドに応答してそのパイロット電力をダイナミックにアップダウン調節し、第２および第３信号電力は規定された相対利得に応じてパイロット電力調節に従う。従来、第２および第３信号の相対利得は、たとえば、２つの信号のフェージング挙動は類似しているという仮定に基づいて固定比に保持され得る。
【００３８】
しかしながら、本発明はより柔軟性を提供する。たとえば、移動局１６は基本チャネル信号およびパケットデータチャネル信号、たとえば、ターボ符号化パケットデータチャネル信号を送信することができる。基本チャネルはターボ符号化パケットデータチャネルよりも高ドップラー拡散を受け易い。本発明の一実施例では、基本チャネルに対するパケットデータチャネルの電力比は１つ以上の受信状態に従って変化する。たとえば、基本対パケットデータチャネル電力利得はＡＷＧＮチャネル状態におけるｘｄＢから高モビリティ状態、たとえば、１２０ｋｍ／ｈｒの移動速度に対して（ｘ＋ｙ）ｄＢへ変化することができる。
【００３９】
したがって、本発明は全ての上りトラフィックチャネルの電力がレイヤ３メッセージを介して基地局により再割当てすることができる固定比により上りパイロットの電力と結び合わされる従来の電力制御に較べて高められた性能を提供する。通常、外部ループ電力制御は基本チャネルＦＥＲに基づいており基本チャネルがその性能を満たす時は、他のトラフィックチャネルの指定された電力比によりそれらのＦＥＲ要求条件が満たされる。しかしながら、前述したように、１つ以上のチャネルが定められた無線状態に対して性能劣化を受け易ければその仮定は失敗する。
【００４０】
より詳細には、多数トラフィックチャネルの従来の外部ループ電力制御は一つの特殊なチャネルのフレームエラーレート（ＦＥＲ）性能に基づいている。したがって、他のチャネルのＦＥＲはその特殊チャネルの外部ループ電力制御による。たとえば、１つのパイロットおよび２つのトラフィックチャネルが３つの直交符号チャネルで第１のトランシーバから第２のトランシーバへ送られ、両方のトラフィックチャネルがパイロットに関して固定電力利得で送信されるものとする。
【００４１】
第２のトランシーバはその内部ループ目標に関して受信パイロットを測定して電力制御コマンドを第１のトランシーバへ返送し、必要に応じてパイロット送信電力を増減して内部ループ目標における受信パイロット電力を維持するよう指令する。第１のトランシーバは着信電力制御コマンドに応答してそのパイロット電力をアップダウンさせ、同様にパイロットに関するそれらの固定電力利得に応じて送信電力をアップダウンさせる。
【００４２】
第２のトランシーバ、すなわち、電力制御コマンドを送るトランシーバが第１のトラフィックチャネルのＦＥＲに基づいて内部ループ目標を調節する場合、第１のトランシーバの閉ループ電力制御は第１のトラフィックチャネルのＦＥＲ要求条件が満たされるこことを本質的に保証する。さらに、第１および第２の両方のトラフィックチャネルの目標ＦＥＲが全てのチャネル状態の元でパイロットに対する固定相対電力利得を使用して維持できる場合には、第１のトラフィックチャネルのＦＥＲ要求条件を満たせば第２のそれも満たされる。しかしながら、固定電力利得を使用して第２のチャネルのＦＥＲを維持できなければ、第１のチャネルの目標ＦＥＲの維持に基づく電力制御は第２のチャネルのＦＥＲ要求条件を必ずしも満たさない。
【００４３】
典型的なトランシーバは第２のチャネルの送信電力をフロートさせることにより前述した問題を克服する。例として、第１の典型的なトランシーバがパイロットチャネル（ＰＩＣＨ）および、基本チャネル（ＦＣＨ）とパケットデータチャネル（ＰＤＣＨ）とを含む２つのトラフィックチャネルを送信するものとする。遠隔トランシーバは受信パイロット強度とその内部ループ目標との比較に基づいて電力制御コマンドを第１のトランシーバへ返送し、その目標を受信ＦＣＨのＦＥＲに基づいて調節する。さらに、遠隔トランシーバはＡＣＫ／ＮＡＫまたは他の受信品質帰還をＰＤＣＨに対する第１のトランシーバへ送る。
【００４４】
したがって、遠隔トランシーバからの電力制御コマンドはＦＣＨのＦＥＲを維持するように直接調節されるため、第１のトランシーバはそのＰＩＣＨに関して固定された電力利得でＦＣＨを送信することができる。しかしながら、ＰＤＣＨの固定電力利得はそのＦＥＲ要求条件が遠隔受信機において満たされていたことを保証しない。したがって、第１のトランシーバはＰＩＣＨ（または、ＦＣＨ）に関してフローティング電力利得を設定し、遠隔トランシーバから着信する受信品質帰還に応答してその利得をアップダウン調節する。このようにして、第１のトランシーバはフローティングチャネルに対する受信品質情報により直接駆動される外部ループ電力制御の２次的すなわち補足的形式を実現する。特に、このフローティング電力利得はＰＩＣＨおよびＦＣＨチャネルを使用して実施されている継続的閉ループ内部および外部ループ電力制御と干渉しない。
【００４５】
したがって、第１のトランシーバは３つのチャネルの全てにおいてまだ内部ループ電力制御コマンドに従うが、それでも１つ以上のＡＣＫが受信されればＰＩＣＨ（またはＦＣＨ）に関してＰＤＣＨのフローティング電力利得を所望する第１の量だけ減少し、１つ以上のＮＡＫが受信されればＰＤＣＨ利得を所望する第２の量だけ増加することができる。このような調節に対するステップサイズはＰＤＣＨの目標ＦＥＲに基づいて選択することができる。送信機におけるこのようなＰＤＣＨ相対利得調節は本発明の例である。その結果、本例におけるＦＣＨおよびＰＤＣＨは同じ内部ループを共有するがそれらのＦＥＲ要求条件を独立に満たすために別々の外部ループ電力制御を有する。
【００４６】
したがって、本発明はチャネル電力間の仮定した関係を解き、ＡＣＫ／ＮＡＫまたは他の受信品質帰還を有するトラフィックチャネルがパイロット（またはもう１つのチャネル）に対するそれらの電力比を「フロート」させ、基本チャネルまたは他のアンカーチャネルのそれとは独立したそれらの個別のＦＥＲ要求条件を満たすようにこれらの比を調節できるようにする。この方法の一つの利点は、より高いレイヤの遅延メッセージを待機することなく、またアンカーチャネルに対する不正確に仮定された性能関係に依存することなく、物理レイヤ内のダイナミック調節により全てのトラフィックチャネルのＦＥＲ要求条件を絶えず満たせることである。
【００４７】
概括的にいえば、本発明により受信機、たとえば、セルラー無線電話機その他のワイヤレス装置は、装置が１つ以上の非フローティング信号（固定電力利得）を送信しながら１つ以上の「フローティング」信号（可変電力利得）を送信できるように、１つ以上のチャネルの電力比を１つ以上の他のチャネルに関してダイナミックに調節することができる。典型的な実施例では、移動局は電力制御信号、たとえば、パイロットその他の基準信号を送信し、かつ１つ以上の付加信号、たとえば、パイロット信号電力に関して直接または間接的に制御された電力比でパイロット信号を送信する。次に、これらの１つ以上の比はそれらに対する受信信号品質帰還に応答して調節される。当業者ならば、本発明は前記した検討に限定されず典型的な例示により限定されないこともお判りであろう。事実、本発明は特許請求の範囲およびそれに正当に相当するものによってのみ限定される。
【図面の簡単な説明】
【００４８】
【図１】本発明に従った典型的な第１および第２の通信トランシーバの線図である。
【図２】図１の第１のトランシーバにおける典型的な処理の線図である。
【図３】図１の第２のトランシーバにおける典型的な処理の線図である。
【図４】本発明を実施できる典型的なワイヤレス通信網の線図である。
【図５】本発明の一実施例に従った移動局における典型的な上り回線電力制御の線図である。
【図６】本発明の一実施例に従った移動局における典型的な上り回線電力制御の線図である。
【図７】本発明の１つ以上の実施例に従った典型的な移動局および典型的な無線基地局の線図である。
【図１】
2007527649.tif 000003
【図２】
2007527649.tif 000004
【図３】
2007527649.tif 000005
【図４】
2007527649.tif 000006
【図５】
2007527649.tif 000007
【図６】
2007527649.tif 000008
【図７】
2007527649.tif 000009
【国際調査報告】
2007527649.tif 000010
2007527649.tif 000011
2007527649.tif 000012